(57)【特許請求の範囲】
【請求項１】
プラスチックシートであって、
該プラスチックシートを成型加工して形成されたポケットを有するポケット形成部と、
該ポケット形成部から折り返し部を経て前記ポケットの開口に向けて一体にして延び、前記ポケットの開口を露出させる開位置と前記ポケットの開口を覆う閉位置との間にて前記折り返し部の回りに回動可能な補強カバー部とを含む、プラスチックシートと、
前記補強カバー部が前記閉位置にあるとき、該補強カバー部の端部を前記ポケット形成部に着脱可能に固定するための固定装置と、
前記ポケット内に収容された単一の口腔用たばこ製品と、
前記ポケット形成部に貼り合わされることで、前記ポケットの開口を閉塞するシール域を有し、前記補強カバー部が前記閉位置にあるとき、前記シール域が前記補強カバー部により覆われるフィルム材と、
前記ポケット内に使用済みの口腔用たばこ製品が再収容され且つ前記補強カバー部が閉位置にあるとき、前記ポケットからの液漏れを防止する液漏れ防止手段と
を備えたことを特徴とする口腔用たばこ製品の包装容器。
【請求項２】
前記フィルム材は、前記ポケットから前記口腔用たばこ製品が取り出される際に前記口腔用たばこ製品により押し破られるアルミ箔又は蝋紙であることを特徴とする請求項１に記載の口腔用たばこ製品の包装容器。
【請求項３】
前記液漏れ防止手段は、前記補強カバー部の内面に接着された高分子吸収材を含むことを特徴とする請求項２に記載の口腔用たばこ製品の包装容器。
【請求項４】
前記固定装置は、前記補強カバー部の端部を折り曲げて形成され、前記ポケット形成部の外縁を前記補強カバー部との間にて挟み込む折り曲げ部を含み、
前記液漏れ防止手段は、前記折り返し部を除く前記補強カバー部の全周に亘って前記折り曲げ部を延長させた密閉構造を含むことを特徴とする請求項２に記載の口腔用たばこ製品の包装容器。
【請求項５】
前記液漏れ防止手段は、
前記ポケット形成部及び前記補強カバー部の一方に一体に形成され、前記ポケットの前記開口を全周に亘って囲む環状溝と、
前記ポケット形成部及び補強カバー部の他方に一体に形成され、前記補強カバー部が前記閉位置にあるとき、前記環状溝に嵌合される環状突起とを含むことを特徴とする請求項２に記載の口腔用たばこ製品の包装容器。
【請求項６】
前記フィルム材は、プラスチック製であり、
前記液漏れ防止手段は、前記フィルム材に形成された受圧部を含み、
前記受圧部は、前記補強カバー部が前記閉位置にて前記固定装置により固定されたとき、前記補強カバー部により押圧されて前記ポケット形成部に前記フィルム材を押し付けることを特徴とする請求項１に記載の口腔用たばこ製品の包装容器。
【請求項７】
前記受圧部は、前記補強カバー部の内面に固定されていることを特徴とする請求項６に記載の口腔用たばこ製品の包装容器。
【発明の詳細な説明】
【技術分野】
【０００１】
本発明は、プラスチックシートに形成されたポケット内に口腔用たばこ製品を収容するとともにポケットの開口をフィルム材で閉塞したうえで、フィルム材を覆った口腔用たばこ製品の包装容器に関する。
【背景技術】
【０００２】
ＰＴＰ（Ｐｒｅｓｓ  Ｔｈｒｏｕｔｈ  Ｐａｃｋａｇｅ）包装は、プラスチックシートに形成された凹部、即ち、ポケットに錠剤等の被収容物を収容し、アルミ箔等の破れやすいフィルム材でポケットの開口面の全体を閉塞したものである。使用者は、ポケットの底を指で押し潰すことによって、被収容物によりフィルム材を押し破り、ポケットから被収容物を取り出す。プラスチックシートとしては、ＰＶＣ（ポリ塩化ビニル）、ＰＰ（ポリプロピレン）、Ａ−ＰＥＴ（非晶質ポリエチレンテレフタレート）等が多く使われている。破れやすいフィルム材としては、アルミ箔の他に、防湿紙や蝋紙等が多く使われている。このＰＴＰ包装は、薬剤等の錠剤やカプセル等の被収容物を収容するものとして多く使用されている。被収容物を容易に取り出すことができるからである。しかしながら、その反面、ＰＴＰ包装の保管時にフィルム材が破れやすいという欠点がある。
【０００３】
そこで、特許文献１に開示されているように、フィルム材を破れにくくするため、フィルム材に複数の材料からなる積層フィルムを利用する方法が考えられる。しかしながら、特許文献１のフィルム材（ＰＴＰ包装蓋材）は、高強度を有するが、開封時に破りにくく、取扱い性が悪い。この欠点を解消したと思われるものが、特許文献２に開示されている。この特許文献２では、フィルム材の一部をなすアルミ箔を補強するために、アルミ箔にミシン目入りの紙層を積層し、開封性を向上している。しかしながら、特許文献２のフィルム材では、アルミ箔以外に別の素材である紙層を使用しているため、部品点数が増加している。
【０００４】
一方で、ポイ捨て防止の観点から、ガム製品や口腔用たばこ製品のパッケージにおいては、使用後の製品をパッケージに再収容して一時保管したいという要望がある。従来のようなフィルム材が圧着されたブリスターパックでは、フィルム材を一度剥がすと、使用済み製品をポケットに再収容できない。これに対して、リシール機構を有するブリスターパックが提案されているが、使用済み品の再収容について考慮したものはなく、実際に使用済み品を再収容することには適していない。また、包装体自体を二つ折りにした一体型ブリスター（ダブルパック、シェルパックとも呼ばれている）も知られている。この一体型ブリスターは、嵌合や接着により包装体の重なり部分を固定するものである。しかし、収容部がフィルム材等で覆われてシールされていないため、保管時の密閉が不十分であり、水分の多い使用済み品では液体が漏れるおそれがある。
【先行技術文献】
【特許文献】
【０００５】
【特許文献１】特開平７−２５７６３８号公報
【特許文献２】国際公開第２００７／１１３８５０号
【特許文献３】米国特許出願公開第２００９／００００９６８号明細書
【発明の概要】
【発明が解決しようとする課題】
【０００６】
本発明は、部品点数を増加させず、保管時に誤ってフィルム材が破れることを防止でき、さらに水分を含んだ使用済みの口腔用たばこ製品を液漏れすることなく再収容して保管することができる口腔用たばこ製品の包装容器を提供することを目的とする。
【課題を解決するための手段】
【０００７】
前記目的を達成するため、本発明では、プラスチックシートであって、該プラスチックシートを成型加工して形成されたポケットを有するポケット形成部と、該ポケット形成部から折り返し部を経てポケットの開口に向けて一体にして延び、ポケットの開口を露出させる開位置とポケットの開口を覆う閉位置との間にて折り返し部の回りに回動可能な補強カバー部とを含むプラスチックシートと、補強カバー部が閉位置にあるとき、該補強カバー部の端部を前記ポケット形成部に着脱可能に固定するための固定装置と、ポケット内に収容された単一の口腔用たばこ製品と、前記ポケット形成部に貼り合わされることで前記ポケットの開口を閉塞するシール域を有し、補強カバー部が閉位置にあるとき、シール域が補強カバー部により覆われるフィルム材と、ポケット内に使用済みの口腔用たばこ製品が再収容され且つ補強カバーが閉位置にあるとき、ポケットからの液漏れを防止する液漏れ防止手段とを備えたことを特徴とする口腔用たばこ製品の包装容器を提供する（請求項１）。
【０００８】
好ましくは、前記フィルム材は、ポケットから口腔用たばこ製品が取り出される際に口腔用たばこ製品により押し破られるアルミ箔又は蝋紙である（請求項２）。
このようなアルミ箔又は蝋紙からなるフィルム材の場合、液漏れ防止手段は、補強カバー部の内面に接着された高分子吸収材を含むことができ（請求項３）、また、前記固定装置が前記補強カバー部の端部を折り曲げて形成され、前記ポケット形成部の外縁を補強カバー部との間にて挟み込む折り曲げ部分を含むものであれば、液漏れ防止手段は折り返し部を除く補強カバー部の全周に亘って折り曲げ部を延長させた密閉構造を含むことができる（請求項４）。
【０００９】
さらに、上述のフィルム材の場合、液漏れ防止手段は、ポケット形成部及び補強カバー部の一方に一体に形成され、ポケットの前記開口を全周に亘って囲む環状溝と、ポケット形成部及び補強カバー部の他方に一体に形成され、補強カバー部が閉位置にあるとき、環状溝に嵌合される環状突起とを含むことができる（請求項５）。
【００１０】
一方、フィルム材がプラスチック製である場合、液漏れ防止手段は、フィルム材に形成された受圧部を含むことができ、該受圧部は、補強カバー部が閉位置にて固定装置により固定されたとき、補強カバー部により押圧されてポケット形成部にフィルム材を押し付ける（請求項６）。この場合、受圧部は、補強カバー部の内面に固定されているのが好ましい（請求項７）。
【発明の効果】
【００１１】
請求項１〜７に係る本発明によれば、プラスチックシートを折り返して形成された補強カバー部が閉位置にてフィルム材を覆っているため、包装容器の保管時にフィルム材が誤って破れるのを確実に防止できる。また、本発明は、補強カバー部の端部をポケット形成部に着脱可能に固定するための固定装置を有するため、補強カバー部はフィルム材を覆う閉位置に保持される。
一方、補強カバー部を開位置に位置付ければ、ポケット内の口腔用たばこ製品を容易に取り出すことができる。また、フィルム材を覆う補強カバー部はポケット形成部と一体に形成されているので、フィルム材を保護する保護部材を別個に備える必要はない。このため、部品点数を増加させずに確実にフィルム材の不所望な破れを防止することができる。
【００１２】
それ故、フィルム材がポケット形成部に貼り合わされ、ポケットから口腔用たばこ製品が取り出される際に口腔用たばこ製品により押し破られるアルミ箔又は蝋紙であっても、フィルム材は、補強カバー部により覆われているので、保管時に誤って破れることはない。
また、別の例として、フィルム材は、プラスチック製（より詳しくはポケット形成部と同じ材質）であってもよく、この場合、ある程度の剛性を有する。したがって、このようなプラスチック製のフィルム材はポケットを一度開封しても、この後、ポケットの開口を再び閉塞することができる。
さらに、本発明は、ポケットに使用済みの口腔用たばこ製品が再収容されたとき、ポケットからの液漏れを防止する液漏れ防止手段を備えているので、液漏れに起因した不具合を被ることなく、使用済みの口腔用たばこ製品の一時的な保管が可能となる。
【００１３】
アルミ箔又は蝋紙のフィルム材の場合に液漏れ防止手段として採用される高分子吸収材（請求項３）、固定装置を兼用した密封構造（請求項３）、環状溝と環状突起との組み合わせからなる密封構造（請求項５）、更には、プラスチック製のフィルム材の場合に液漏れ防止手段として採用されるフィルム材の受圧部（請求項６）は何れも、ポケットからの液漏れを防止する。
【００１４】
また、受圧部の場合、この受圧部が補強カバー部の内面に固定されていれば（請求項７）、補強カバー部が開位置に向けて回動されると同時にフィルム材もポケット形成部から離れ、ポケットの開口が露出する。したがって、補強カバー部の開操作でもってフィルム材も剥がすことができ、フィルム材の取り扱いが簡便となる。
【図面の簡単な説明】
【００１５】
【図１】口腔用たばこ製品における包装容器の基本構成を示す概略図である。
【図２】図１の包装容器の概略断面図（図１のＡ−Ａ断面）である。
【図３】図１の包装容器における最初の開封動作を示す概略断面図である。
【図４】図３の段階から次の段階の包装容器の開封動作を示す概略断面図である。
【図５】図４の段階から次の段階の包装容器の開封動作を示す概略断面図である。
【図６】図１の連続包装体をブリスターパックに収容したときの概略図である。
【図７】変形例の固定装置を備えた基本構成の包装容器を示す概略断面図である。
【図８】変形例の固定装置を備えた基本構成の包装容器を示す概略断面図である。
【図９】変形例の固定装置を備えた基本構成の包装容器の概略断面図である。
【図１０】さらに別の基本構成の包装容器を示す概略断面図である。
【図１１】さらに別の基本構成の包装容器を示す概略断面図である。
【図１２】本発明の第１実施形態の包装容器を示す概略断面図である。
【図１３】本発明の第２実施形態の包装容器を示す概略断面図である。
【図１４】図１３の包装容器の平面図である。
【図１５】参考例の包装容器を示す概略断面図である。
【図１６】図１５の包装容器の開封動作を示す概略断面図である。
【図１７】図１５のポケット内に使用済みの口腔用たばこ製品が再収容される状態を示す概略断面図である。
【図１８】図１７の状態から包装容器が閉作動された状態を示す概略断面図である。
【図１９】本発明の第３実施形態の包装容器を示す概略断面図である。
【図２０】図１９の包装容器の最初の開操作を示す概略断面図である。
【図２１】図２０の段階から包装容器の次の開操作を示す概略断面図である。
【図２２】他の参考例の包装容器を示す概略断面図である。
【図２３】更に別の参考例の包装容器を示す概略斜視図である。
【図２４】本発明の第４実施形態の包装容器を示す概略断面図である。
【発明を実施するための形態】
【００１６】
図１は、口腔用たばこ製品の包装容器に係る基本構成の概略図である。
図示したように、包装容器１は、ＳＮＵＳ等の口腔用たばこ製品２（図２参照）を収容するためのポケット３を備えている。包装容器１の保管性を向上させるために、複数の包装容器１は連結部４により連続して連結され、連続包装体５を形成している。連結部４にはミシン目６が形成されている。さらに、連結部４の厚みは包装容器１より薄く、これにより、各包装容器１を切り離しやすくしている。
【００１７】
図２は、図１の包装容器の概略断面図（図１のＡ−Ａ断面）である。
図２に示すように、口腔用たばこ製品２がポケット３内に収容されている。ポケット３はプラスチックシート７を成型加工により凹ませて形成されている。このポケット３が形成されたプラスチックシート７の部分がポケット形成部３２となる。ポケット３の開口は、フィルム材９で閉塞されている。ポケット３の開口を閉塞しているフィルム材９の部分がシール域２９となる。プラスチックシート７は途中で折り曲げられ、折り返し部８を有する。折り返し部８で折り返されたプラスチックシート７の部分は、ポケット３の開口に向けて延び、補強カバー部１０を形成している。補強カバー部１０は、フィルム材９のシール域２９を覆っている。折り返し部８に対して反対側に位置する補強カバー部１０の端部１２は、固定装置を介してポケット形成部３２の外縁１１に着脱可能に固定されている。この固定装置の一例は、補強カバー部１０の端部１２に形成した折り曲げ部分である。すなわち、補強カバー部１０の端部１２における折り曲げ部分は一旦折り曲げられた立ち上げ部１３と、この立ち上げ部１３の先端部をさらに折り曲げることで折り返し部８の方向に戻る戻り部１４と、この戻り部１４の先端部をさらに折り返した摘み部１５とを有する。補強カバー部１０と戻り部１４との間にポケット形成部３２の外縁１１を挟むことにより、補強カバー部１０の端部１２はポケット形成部３２の外縁１１に係合し、これにより、外縁１１に補強カバー部１０の端部１２を着脱可能に固定することができる。
【００１８】
以上説明したように、閉位置にて補強カバー部１０はフィルム材９を覆うため、包装容器１の保管時にフィルム材９が誤って破れるのを確実に防止できる。また、補強カバー部１０の端部１２が、ポケット形成部３２の外縁１１に固定装置１３，１４，１５を介して着脱可能に固定される。このため、補強カバー部１０はフィルム材９を覆う閉位置に保持される。これにより、フィルム材９が不所望に破れることはない。また、フィルム材９を覆う補強カバー部１０はプラスチックシート７を折り曲げて形成されるので、フィルム材９の保護のための別部材や別部品は不要である。このため、部品点数を増加させずに確実にフィルム材９の不所望な破れを防止することができる。
【００１９】
図３〜図５は包装容器１の開封手順を順番に示す。
図３に示すように、先ず、使用者が摘み部１５を指等に引っ掛けて立ち上げ部１３を外方に開くことにより、補強カバー部１０の端部１２はポケット形成部３２の外縁１１から外される。さらに、使用者が折り返し部８をヒンジとして補強カバー１０を開位置まで回動させると、図４に示すように、フィルム材９が露出する。そして、図５に示すように、使用者がポケット３の底を矢印Ｐ方向に押す潰すことにより、口腔用たばこ製品２はフィルム材９を破って、ポケット３から取り出される。このように、補強カバー部１０がポケット形成部３２の外縁１１に着脱可能であるため、補強カバー部１０の端部１２をポケット形成部３２の外縁１１から外して容易にポケット３内の被収容物２を取り出すことができる。特に、フィルム材９をアルミ箔又は蝋紙とすれば、フィルム材９は口腔用たばこ製品２を取り出す際に破りやすい。さらに、補強カバー部１０によりフィルム材９が保管時に破れてしまうことがなく、好ましい。すなわち、フィルム材９は、アルミ箔又は蝋紙であるため、ポケット３内の口腔用たばこ製品２を取り出す際に開封しやすく、補強カバー部１０により覆われているので、保管時に誤って破れることはない。また、上述したように、補強カバー部１０はプラスチックシート７を折り返してポケット形成部３２と一体化しているので、これらポケット形成部３２及び補強カバー部１０は開封しても分離せず、ゴミとなったときに散らかることはない。また、ポケット３と補強カバー部１０は同材質であるため、材料品コストの増加も抑えることができる。また、補強カバー部１０はプラスチックシート７を折り返すだけで形成されているので、製造が簡単であり、製造装置も複雑なものを用意する必要がない。例えば従来のＰＴＰ包装機に折り返し部８を形成するような折り込み機構を設けるだけでよい。
【００２０】
ポケット３内には口腔用たばこ製品２が収容されるため、プラスチックシート７には抗菌処理がなされている。抗菌剤は、無機系又は有機系抗菌剤である。無機系抗菌剤は銀ゼオライト又はチオサルファイト銀錯体である。有機系抗菌剤はニトリル誘導体、イミダゾール誘導体、トリアジン誘導体、フェノールエーテル誘導体、又はピロール誘導体である。また、ポケット３を透明にしてもよい。これにより、ポケット３内の口腔用たばこ製品２を容易に目視により確認できる。目視により口腔用たばこ製品２を確認できるのであれば、ポケット３にはある程度の着色がされていてもよい。また、包装容器１は別包装なので、口腔用たばこ製品２の保存性が高く、互いにぶつかり合って口腔用たばこ製品２が損傷することもない。特に口腔用たばこ製品２は高い水分量を含んでいるため、包装容器１は口腔用たばこ製品２の乾燥防止や腐敗防止に有効である。また、包装容器１は使い捨てなので清潔である。
【００２１】
図６は連続包装体５（図１参照）をブリスターパックに収容したときの概略図である。
図６から明らかなように、ブリスターパック６は連続包装体５を販売店等に陳列する際に好適し、それ故、ブリスターパック１６には、吊り下げ部１７が形成されている。
【００２２】
図７もまた基本構成の包装容器１の概略断面図を示すが、図７の包装容器１は前述の固定装置とは異なる変形例の固定装置を備えている。
図７に示された固定装置は、補強カバー部１０の端部１２を折り返して形成された断面凸状部１８と、ポケット形成部３２の外縁１１を折り返して形成された断面凹状部１９とを有している。断面凹状部１９の凹部には、断面凸状部１８の凸部分を圧入可能である。これにより、補強カバー部１０の端部１２はポケット形成部３２の外縁１１に着脱可能に固定される。その他の構造、効果は図２の包装容器１と同様である。
【００２３】
図８は、さらに別の基本構成の包装容器を示す概略断面図である。
図８に示された固定装置は、補強カバー部１０の端部１２とポケット形成部３２の外縁１１を接着するための接着剤２０である。これにより、補強カバー部１０の端部１２はポケット形成部３２の外縁１１に着脱可能に固定される。接着剤２０は、再接着性があるとさらに好ましい。接着剤２０に代えて、糊や接着テープを用いてもよいし、あるいは面ファスナーを用いてもよい。その他の構造、効果は図２の包装容器１と同様である。
【００２４】
図９は、さらに別の基本構成の包装容器を示す概略断面図である。
図９に示された固定装置は、補強カバー部１０の端部１２とプラスチックシート７の外縁１１を挟持するクリップ２１である。クリップ２１を着脱することにより、補強カバー部１０の端部１２はポケット形成部３２の外縁１１に着脱可能に固定される。その他の構造、効果は図２の包装容器１と同様である。
【００２５】
図１０は、さらに別の基本構成の包装容器を示す概略断面図である。
図１０に示された包装容器１は、ポケット３の内側に配置された調湿剤又は脱酸素剤２２を含む。調湿剤は、口腔用たばこ製品２の水分を一定に保ち、脱酸素剤は口腔用たばこ製品２の酸化を防止する。これにより、ポケット３内の環境を適切に調整することができる。したがって、長期間にわたり安定してポケット３内に収容された口腔用たばこ製品２を保管することができる。ポケット３内には、調湿剤と脱酸素剤はいずれか一方が配されていてもよいし、両方が配されていてもよい。また、ポケット３内には調湿剤又は脱酸素剤とともに、あるいはこれに代えて、香料担持体が配されていてもよい。香料担持体は、香りを発する香料を有しているものである。ポケット３内に香料担持体が配されていれば、フィルム材９の開封時に、利用者は香料担持体の香りを楽しむことができ、また、口腔用たばこ製品２に香りをつけることができる。
【００２６】
あるいは、ポケット３内に不活性ガスが充填されていてもよい。このように、ポケット３内の不活性ガスは、口腔用たばこ製品２の品質を長期間に亘り安定して保管可能にする。その他の構造、効果は図２の包装容器１と同様である。
【００２７】
図１１は、さらに別の基本構成の包装容器１を示す概略断面図である。
図１１に示された包装容器１のポケット３はその内側に防曇処理が施された防曇処理部２３を有する。防曇処理は、ポケット３の内面に界面活性剤を塗付又は練込むか、又は防曇性フィルムを貼ることで行われる。この防曇効果は、非イオン系活性剤（グリセリン脂肪酸エステル、ソルビタン脂肪酸エステル等）の働きによるものである。このように、ポケット３の内面に防曇処理が施されているため、ポケット３の内面が曇ることが防止される。これにより、口腔用たばこ製品２の視認性が妨げられることはなく、口腔用たばこ製品２の変色や腐敗を見逃すことはない。特に、口腔用たばこ製品２が高い水分量のＳＮＵＳであっても、ポケット３が曇ることはない。その他の構造、効果は図２の包装容器１と同様である。
【００２８】
図１２は、本発明の第１実施形態に係る包装容器の概略断面図である。
第１実施形態の包装容器は前述した基本構成の包装容器１を前提として、液漏れ防止手段を更に含み、ここでの液漏れ防止手段はフィルム材９と補強カバー部１０との間に配置されたシート状の高分子吸収材２４である。この高分子吸収材２４は、例えばポリアクリル酸塩等の高分子吸収剤を含有している。この高分子吸収材２４が水分を吸うため、水分を多く含んだ使用済みの口腔用たばこ製品２がポケット３内に再収容された場合に、水分が外部に漏れるのを防止する。それ故、ポケット３は使用済みの口腔用たばこ製品２を一時的に保管する場所として利用できる。このとき、補強カバー部１０の端部１２をポケット形成部３２の外縁１１に固定した状態で使用済みの口腔用たばこ製品２は保管される。しかし、このときには、フィルム材９はすでに破られている状態であるため、使用済みの口腔用たばこ製品２に含まれる唾液（液体）が外部に漏れる可能性がある。この唾液を高分子吸収材２４で吸うことにより、唾液が包装容器の外部に漏れることを防止できる。高分子吸収材２４の位置決めを確実なものとするため、高分子吸収材２４は補強カバー部１０の内面に接着されている。
【００２９】
一方、本発明の包装容器は、能書き書やクーポン券、あるいは取扱説明書、捨て紙、くじやクッション材等の被介装物を含んでいてもよく、この被介装物には口腔用たばこ製品２の製造日や賞味期限、あるいは注意文言等の情報が印字されていてもよい。被介装物が捨て紙であれば、この捨て紙に口腔用たばこ製品２を包んで廃棄することもできる。このとき、補強カバー部１０が透明であれば、高分子吸収材２４を外部から視認できる。その他の構造、効果は図２の包装容器１と同様である。
【００３０】
図１３は本発明の第２実施形態の包装容器を示す概略断面図である。また、図１４は図１３の包装容器の平面図である。
第２実施形態の包装容器は、図２に示した立ち上げ部１３、戻り部１４、摘み部１５からなる固定装置を折り返し部８以外の全周に亘って備えている。このように全周を略密閉するような固定装置は液漏れ防止手段の機能を兼ね、使用済みの口腔用たばこ製品２をポケット３内に一時保管する際に、ポケット３からの唾液の漏れを確実に防止する。全周を密閉する構造は、これに限らず、ポケット形成部３２と補強カバー部１０をシールすることで実現してもよい。その他の構造、効果は図２の包装容器１と同様である。
【００３１】
図１５は参考例としての包装容器を示す概略断面図である。
図１５の包装容器は、補強カバー部１０の端部１２に形成された立ち上げ部２５に加えて、同様の形状を有する立ち上げ部２６を折り返し部８の内側にも備えている。一方、ポケット形成部３２の外縁１１には内側に折り曲げられた折り曲げ部２８が形成され、同様の形状を有する折り曲げ部２７が折り返し部８の内側に形成されている。立ち上げ部２５，２６は、折り曲げ部２７，２８を内側に向けて付勢するように配されている。したがって、補強カバー部１０は、立ち上げ部２５，２６により折り曲げ部２７，２８を挟持した状態で固定される。
【００３２】
使用者がフィルム材９を開封して被収容物２を取り出すときは、図１６に示すように、立ち上げ部２５を開いた後、ポケット形成部３２に対する折り返し部８の接合点をヒンジとして補強カバー部１０を回動させることで、折り曲げ部２７に対する立ち上げ部２６の係合を解除して、補強カバー部１０を開く。この後、ポケット３の底を押し潰し、口腔用たばこ製品２を介してフィルム材９を押し破ることで、口腔用たばこ製品２をポケット３から取り出す。
この後、図１７に示されるようにポケット３内に使用済みの口腔用たばこ製品２を再収容し、次に図１８に示されように補強カバー部１０を閉じることで、使用済みの口腔用たばこ製品２を一時的にポケット３に保管できる。補強カバー部１０が閉位置にあるとき、立ち上げ部２５，２６間にて折り曲げ部２７，２８が再び挟持され、補強カバー部１０はポケット形成部３２に固定される。
なお、上記で示した例の特徴は組み合わせてもよい。
【００３３】
一方、上記ではフィルム材９として主にアルミ箔等を用いた場合について説明したが、使用済みの口腔用たばこ製品２を再収容したポケット３からの水漏れを防止する観点から、フィルム材を以下の例で掲げるもので形成してもよい。
【００３４】
図１９は、本発明の第３実施形態の包装容器を示す概略断面図である。
図１９の包装容器は、フィルム材９の端部を折り返した受圧部としての折り返し部３０を有している。この折り返し部３０側のフィルム材９の部位は、ポケット形成部３２の外縁１１に接着されてない。代わりに、折り返し部３０の折り返し短辺３１が補強カバー部１０の内面に接着されている。接着の代わりに、折り返し短辺３１を補強カバー部１０に嵌め込むことで、補強カバー部１０に折り返し短辺３１を接続してもよい。ポケット３の密封性は、補強カバー部１０が折り返し部３０をポケット形成部３２の外縁１１に押圧することで保たれている。したがって、フィルム材９はある程度の剛性を持ったプラスチック製であることが好ましい。そして、図２０に示すように、摘み部１５を開く。この動作は、図３の包装容器１での場合と同様である。そして、図２１に示すように、補強カバー部１０を開くと、折り返し短辺３１が補強カバー部１０の内面に接着されているため、フィルム材９は補強カバー部１０の開操作に伴いポケット３から離れる。これにより、口腔用たばこ製品２が露出するので、簡単に口腔用たばこ製品２をポケット３から取り出すことができる。フィルム材９が補強カバー部１０と同時に開くのであれば、フィルム材９の折り返し部３０はポケット形成部３２の外縁１１に接着されていてもよい。また、フィルム材９を開きやすいように、開操作の際の力点となる補強カバー部１０の部分とフィルム材９の部分とを接着することが好ましい。
【００３５】
さらに、使用済みの口腔用たばこ製品２がポケット３内に再収容される場合、包装容器は上述の開操作とは逆に閉操作され、図１９に示す状態となる。すなわち、使用済みの口腔用たばこ製品２をポケット３内に収容し、補強カバー部１０を閉じる。このとき、プラスチック製のフィルム材９はポケット３の開口を閉塞する。そして、このプラスチック製のフィルム材９は、摘み部１５を再び嵌めて戻すことにより、確実にポケット３を密閉するようにポケット形成部３２の外縁１１に押圧されるので、使用済みの口腔用たばこ製品２が含む水分がポケット３の外部に漏れることはなく、使用済みの口腔用たばこ製品２の携帯が可能となる。
第３実施形態の場合、述の説明から明らかなように、液漏れ防止手段はプラスチック製のフィルム材９及びこのフィルム材９に形成した受圧部としての折り返し部３０によって構成されている。
【００３６】
図２２は、さらに別の参考例としての包装容器を示す概略断面図である。
図２２の包装容器の場合、口腔用たばこ製品２を収容するポケット３は縦長に形成されている。このようにポケット３を縦長にすれば、フィルム材９によるシール域２９を狭小にできるので、フィルム材９の材料コストを低減できる。さらに、補強カバー部１０の表面積も狭小にできる。なお、このような縦長のポケット３の場合、口腔用たばこ製品２を取り出す際、ポケット３は矢印Ｓ方向に示すように両側から押し潰される。
【００３７】
図２３は、さらに別の参考例の包装容器を示す概略斜視図である。
図２３の包装容器の場合、補強カバー部１０に該補強カバー部１０を横断するミシン目３３が形成され、このミシン目３３を境に補強カバー部１０は開閉領域１０ａと閉塞領域１０ｂに分けられる。開閉領域１０ａに対応するポケット３の開口面積は、口腔用たばこ製品２を取り出し可能な大きさとする。すなわち、口腔用たばこ製品２を取り出す際は、開閉領域１０ａのみを矢印Ｒ方向に開けばよい。このように補強カバー部１０を開閉領域１０ａと閉塞領域１０ｂに分けることで、例えば使用済みの口腔用たばこ製品２を一時保管する場合に、閉塞領域１０ｂでの密閉性が高いので、ポケット３からの水分の漏れを低減できる可能性は高い。なお、閉塞領域１０ｂに関してはさらに力を加えることで、閉鎖領域１０ｂもまた開くようにしてもよい。この場合、ミシン目３３を境として２段階に分けてポケット３を開放させることができる。
【００３８】
図２４は本発明の第４実施形態の包装容器を示す概略断面図である。
第４実施形態の包装容器の場合、ポケット形成部３２と補強カバー部１０が接する部位に、環状突起３４と、この環状突起３４を受け入れ可能な環状溝３５とがポケット３の全周に亘って形成され、これら環状突起３４及び環状溝３５は液漏れ防止手段を構成する。このような液漏れ防止手段を備えることで、使用済みの口腔用たばこ製品２をポケット３内に一時保管した際に、ポケット３の密閉性を高めることができ、ポケット３から水分が漏れるのを防止できる。なお、図では環状突起３４を補強カバー部１０に、環状溝３５をポケット形成部３２に形成した例を示したが、これらは逆に形成されていてもよい。
【符号の説明】
【００３９】
１  基本構成の包装容器
２  口腔用たばこ製品
３  ポケット
４  連結部
５  連続包装体
６  ミシン目
７  プラスチックシート
８  折り返し部
９  フィルム材
１０  補強カバー部
１１  外縁
１２  補強カバー部の端部
１３  立ち上げ部
１４  戻り部
１５  摘み部
１６  ブリスターパック
１７  吊り下げ部
１８  断面凸状部
１９  断面凹状部
２０  接着剤
２１  クリップ
２２  調湿剤又は脱酸素剤
２３  防曇処理部
２４  高分子吸収材
２５  立ち上げ部
２６  立ち上げ部
２７  折り曲げ部
２８  折り曲げ部
２９  シール域
３０  折り返し部
３１  折り返し短辺
３２  ポケット形成部
３３  ミシン目
３４  環状突起
３５  環状溝
【図１】
0005408747.tif 000002
【図２】
0005408747.tif 000003
【図３】
0005408747.tif 000004
【図４】
0005408747.tif 000005
【図５】
0005408747.tif 000006
【図６】
0005408747.tif 000007
【図７】
0005408747.tif 000008
【図８】
0005408747.tif 000009
【図９】
0005408747.tif 000010
【図１０】
0005408747.tif 000011
【図１１】
0005408747.tif 000012
【図１２】
0005408747.tif 000013
【図１３】
0005408747.tif 000014
【図１４】
0005408747.tif 000015
【図１５】
0005408747.tif 000016
【図１６】
0005408747.tif 000017
【図１７】
0005408747.tif 000018
【図１８】
0005408747.tif 000019
【図１９】
0005408747.tif 000020
【図２０】
0005408747.tif 000021
【図２１】
0005408747.tif 000022
【図２２】
0005408747.tif 000023
【図２３】
0005408747.tif 000024
【図２４】
0005408747.tif 000025